【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
プロセッサを有するサーバを使用してユーザデバイスにクエリ結果を提示する方法であって、前記方法は、前記プロセッサ上で命令を実行する工程を含み、前記命令は、ユーザによって提供される、前記ユーザデバイスからの第１のクエリを受け取ると、前記サーバに対し、
Ａ）前記第１のクエリを実行して、エンティティを含むクエリ結果を生成することと、
Ｂ）前記クエリ結果の調べに基づいて、前記クエリ結果内の前記エンティティについて少なくとも１つの利用可能な動作を識別することと、
Ｃ）前記利用可能な動作に関連付けられた少なくとも１つの利用可能な自然動作要求を識別することであって、前記利用可能な自然動作要求は、前記クエリ結果内の前記エンティティを選択するために前記ユーザが行うことのできるジェスチャーを含み、前記利用可能な自然動作要求が、前記ジェスチャーによって選択可能な前記エンティティに関する前記第１のクエリのクエリ調整を識別することと、
Ｄ）前記ジェスチャーによって選択可能な前記エンティティに関する前記利用可能な自然動作の入力と前記クエリ調整とに関連付けられた、前記クエリ結果と前記利用可能な自然動作要求の識別とを、前記ユーザデバイスとやり取りすることと、を行わせる、
方法。
【請求項２】
前記命令はさらに、前記ユーザデバイスに前記クエリ結果を提示した後、前記ユーザデバイスから自然動作入力を受け取ると、
前記自然動作入力中の前記利用可能な自然動作要求を識別し、
前記自然動作入力中の識別された前記利用可能な自然動作要求に関連付けられた前記クエリ調整によって調整された前記第１のクエリを含む、調整されたクエリを生成し、
前記調整されたクエリを実行して調整されたクエリ結果を生成し、
前記調整されたクエリ結果を前記ユーザデバイスに提示する、
ように構成される、請求項１に記載の方法。
【請求項３】
前記クエリ結果は少なくとも１つのエンティティを含み、
前記命令はさらに、
前記ユーザデバイスに対して前記クエリ結果を提示するように構成され、該提示することは、前記クエリ結果の各エンティティに関し、該エンティティを参照する少なくとも１つの自然言語のエンティティ要求を識別することを含む、請求項１に記載の方法。
【請求項４】
プロセッサを有するサーバを使用して、少なくとも１つのエンティティを含むクエリ結果のユーザデバイスによる提示を容易にする方法であって、前記方法は、
前記サーバにおいて、前記プロセッサ上で命令を実行する工程を含み、該命令は、前記ユーザデバイスから第１のクエリおよびクエリ結果を受け取ると、
前記クエリ結果の調べに基づいて、前記クエリ結果の各エンティティについて、前記ユーザが前記クエリ結果の該エンティティを選択するために行うことのできるジェスチャーを含む少なくとも１つの利用可能な自然動作入力に関連付けられた少なくとも１つの利用可能なエンティティ動作と、該エンティティを伴う前記第１のクエリの対応するクエリ調整とを識別し、
前記エンティティに関連付けられた前記利用可能なエンティティ動作の識別と、前記利用可能な自然動作入力と、前記対応するクエリ調整とを、前記ユーザデバイスとやり取りするように構成される、
方法。
【請求項５】
前記利用可能な自然動作入力は、
話された言葉と、
書かれた言葉と、
声の抑揚と、
手によるジェスチャーと、
タッチ動作と、
光学的な動きと、
を含む自然動作入力タイプの組から選ばれた自然動作入力タイプを有する、請求項４に記載の方法。
【請求項６】
前記第１のクエリ結果は、自然動作要求に関連付けられた少なくとも１つのクエリ調整を指定し、
前記命令はさらに、前記クエリ調整を識別するように構成され、該識別することは、
前記自然動作入力において、前記第１のクエリ結果によって指定された自然動作要求を識別することと、
前記自然動作要求に関連付けられた前記クエリ調整を選択することと、を含む、請求項４に記載の方法。
【請求項７】
前記命令はさらに、前記対応するクエリ調整を識別するように構成され、該識別することは、
前記第１のクエリ結果を受け取ると、前記第１のクエリ結果を評価して前記第１のクエリに関するクエリ調整を示す少なくとも１つの自然動作要求を識別することと、
前記自然動作入力を受け取ると、前記自然動作入力において、前記第１のクエリ結果によって指定された自然動作要求を識別し、該自然動作要求に関連付けられた前記クエリ調整を選択することと、を含む、請求項４に記載の方法。
【請求項８】
前記命令は、前記ユーザから前記第１のクエリを受け取り、かつ前記第１のクエリ結果を提示するアプリケーションを実行するコンピュータ処理環境を含み、
前記命令はさらに、前記調整されたクエリ結果を提示するように構成され、該提示することは前記アプリケーションに対して前記調整されたクエリ結果を提示することを含む、請求項７に記載の方法。
【請求項９】
前記対応するクエリ調整を識別することは、前記自然動作入力を前記クエリ結果の文脈において解釈することで前記クエリ調整を識別することを含む、請求項４に記載の方法。
【請求項１０】
前記対応するクエリ調整を識別することは、
前記第１のクエリおよび前記自然動作入力をサーバに送ることと、
前記サーバから前記クエリ調整を受け取ることと、を含む、請求項４に記載の方法。
【請求項１１】
前記クエリ結果は、動作識別子を有する少なくとも１つの動作と関連付けられ、
前記対応するクエリ調整は、
前記動作識別子以外の、前記動作を指定する少なくとも１つの自然動作要求を識別することと、
前記動作に従って前記第１のクエリを調整することと、を含む、請求項４に記載の方法。
【請求項１２】
少なくとも１つの動作が前記クエリ結果のエンティティに関連付けられ、
前記命令はさらに、前記クエリ結果を提示するように構成され、該提示することは、前記クエリ結果のエンティティによって、該エンティティと動作とを関連付ける少なくとも１つの動作識別子を提示することを含む、請求項４に記載の方法。
【請求項１３】
前記自然動作入力は、前記第１のクエリをフィルタリングするための少なくとも１つのフィルタ基準を含み、
前記クエリ調整は、前記少なくとも１つのフィルタ基準に従って前記第１のクエリをフィルタリングすることを含む、請求項４に記載の方法。
【請求項１４】
プロセッサを有するデバイスにクエリ結果を提示するサーバであって、該サーバは、
プロセッサと、
命令を格納したメモリと、を含み、
前記命令は、前記プロセッサによって実行されると、Ａ）クエリ評価部と、Ｂ）クエリ調整提示部とを含むシステムを提供し、
前記Ａ）クエリ評価部は、ユーザによって提供される、前記デバイスからの第１のクエリを受け取ることに応じて、
１）前記第１のクエリを実行してエンティティを含むクエリ結果を生成し、
２）前記クエリ結果に基づいて、少なくとも１つの利用可能な自然動作要求を識別し、前記少なくとも１つの利用可能な自然動作要求は、前記ユーザの利用可能な自然動作入力であって、前記クエリ結果内の前記エンティティを選択するために前記ユーザが行うことのできるジェスチャーをさらに含む利用可能な自然動作入力中に含まれると、前記ジェスチャーによって選択可能な前記エンティティに関する前記第１のクエリの対応するクエリ調整を示すものであり、
前記Ｂ）クエリ調整提示部は、前記ジェスチャーによって選択可能な前記エンティティに関する前記利用可能な自然動作入力と前記対応するクエリ調整とに関連付けられた、前記クエリ結果と前記利用可能な自然動作要求の識別とを前記デバイスに提示する、
サーバ。